(57)【要約】【課題】ユーザに設定されている通行パターンを変更する作業を効率良く行うことができるゲート管理装置を提供する。【解決手段】ゲート管理装置２は、ユーザに設定されている通行パターンを更新する操作がなされると、更新対象となるユーザの通行パターンを表示して、更新後の通行パターンをオペレータに設定させた後、ユーザリスト２２を参照して、更新対象となるユーザに設定されているパターン番号が他のユーザに設定されていないか検索し、他のユーザに設定されていない場合は、該パターン番号に対応する通行パターンを更新後の通行パターンとするように通行パターンを修正し、他のユーザに設定されている場合は、新規にパターン番号を生成した後、更新後の通行パターンを通行パターンリスト２１に追加した後、更新対象となるユーザに設定されているパターン番号を新規に生成したパターン番号とするようにユーザリスト２２を修正する。【選択図】図５
2013143006.tif 000002
【特許請求の範囲】
【請求項１】
通行許可されるゲート装置のゲート番号が記された通行パターンをパターン番号に関連付けて記述した通行パターンリストと、ユーザに設定された前記通行パターンのパターン番号をユーザ毎に記述したユーザリストが予め登録されるゲート管理装置であって、
ユーザに設定されている前記通行パターンを更新する操作がなされると、前記通行パターンの更新対象となるユーザの前記通行パターンを表示して、更新後の前記通行パターンをオペレータに設定させた後、前記ユーザリストを参照して、前記更新対象となるユーザに設定されているパターン番号が他のユーザに設定されていないか検索し、他のユーザに設定されていない場合は、該パターン番号に対応する前記通行パターンを更新後の前記通行パターンとするように前記通行パターンを修正し、他のユーザに設定されている場合は、新規にパターン番号を生成した後、更新後の前記通行パターンを前記通行パターンリストに追加した後、前記更新対象となるユーザに設定されているパターン番号を新規に生成したパターン番号とするように前記ユーザリストを修正する処理を行う通行パターン更新手段を備えていることを特徴とするゲート管理装置。
【請求項２】
前記通行パターン更新手段は、前記更新対象となるユーザに割り当てられたパターン番号が他のユーザに設定されていないか検索する前に、前記通行パターンリストを参照し、更新後の前記通行パターンと一致する通行パターンがすでに前記通行パターンリストに登録されているか検索し、前記通行パターンリストに登録されている場合は、前記更新対象となるユーザに設定されているパターン番号を更新後の前記通行パターンと一致する通行パターンのパターン番号とするように前記ユーザリストを修正することを特徴とする、請求項１に記載したゲート管理装置。
【請求項３】
前記通行パターン更新手段は、施設に設置されている全ての前記ゲート装置の設置場所と通行許可／通行不許可が前記ゲート装置毎に示される施設の間取りを示した通行パターン表示画面を表示し、通行許可／通行不許可を更新する前記ゲート装置をオペレータに選択させることで、更新後の前記通行パターンをオペレータに設定させることを特徴とする、請求項１または請求項２に記載したゲート管理装置。
【発明の詳細な説明】
【技術分野】
【０００１】
本発明は、セキュリティ管理される施設内のエリアへの通行を管理するゲートシステムにおいて、ユーザ毎に通行許可するゲート装置を設定及び登録するための技術に関し、更に詳しくは、ユーザに対して通行許可するゲート装置の変更を効率良く行うための技術に関する。
【背景技術】
【０００２】
企業などのセキュリティ管理される施設には、施設内のエリアへの通行を管理するゲートシステムが設置され、このゲートシステムは、通行を管理するエリアの出入口に設置されるゲート装置と、通行が許可されるゲート装置がユーザ毎に登録されるゲート管理装置とから構成されることが一般的である。
【０００３】
ゲート装置の設定及び登録に係る発明として、例えば、特許文献１において、施設内のエリアの出入口に設置されたゲート装置（特許文献１では認証装置）の位置関係を管理しておき、通行許可する一部のエリアが目的エリアとして指定されると、目的エリアを含む経路に設置されたゲート装置を自動的に選択しゲート管理装置へ登録する発明が開示されている。
【０００４】
特許文献１で開示されている手法は、セキュリティ強度を上げるためにエリアの階層を深くした施設の場合には有効であるが、エリアの階層は浅いが、ユーザに対して通行許可するエリアが多い施設（例えば、工場）の場合、結局はほとんどのエリアを目的エリアとして指定することになってしまうため、このような施設には不向きである。
【０００５】
このため、エリアの階層は浅いが、ユーザに対して通行許可するエリアが多い施設の場合、先ず、通行許可するゲート装置のゲート番号が記された幾つかの通行パターンをゲート管理装置に登録してから、ユーザが該当する通行パターンのパターン番号をユーザ毎にゲート管理装置へ設定・登録する作業が行われていた。
【０００６】
しかし、このような手法により、ゲート装置の設定及び登録を行うと、ゲート装置の設定及び登録を行った後にユーザに設定されている通行パターンを変更する際、更新対象となるユーザに設定されている通行パターンそのものを変更すると、該通行パターンが他のユーザに設定されている場合、通行パターンを変更する必要のないユーザにおいても通行パターンが変更されてしまうため、更新対象となるユーザに設定されている通行パターンが他のユーザに設定されていないか確認する作業が必要となり、ユーザに設定されている通行パターンを変更する作業負荷が大きくなってしまっていた。
【先行技術文献】
【特許文献】
【０００７】
【特許文献１】特開２００９-８６９１２号公報
【発明の概要】
【発明が解決しようとする課題】
【０００８】
そこで、本発明は、通行許可するゲート装置のゲート番号が記された幾つかの通行パターンと、ユーザが該当する通行パターンのパターン番号がユーザ毎に登録されるゲート管理装置において、これらの情報が登録された後に、ユーザに設定されている通行パターンを変更する作業を効率良く行うことができるゲート管理装置を提供することを目的とする。
【課題を解決するための手段】
【０００９】
上述した課題を解決する第１の発明は、通行許可されるゲート装置のゲート番号が記された通行パターンをパターン番号に関連付けて記述した通行パターンリストと、ユーザに設定された前記通行パターンのパターン番号をユーザ毎に記述したユーザリストが予め登録されるゲート管理装置であって、ユーザに設定されている通行パターンを変更する作業を効率良く行うことができるように、ユーザに設定されている前記通行パターンを更新する操作がなされると、前記通行パターンの更新対象となるユーザの前記通行パターンを表示して、更新後の前記通行パターンをオペレータに設定させた後、前記ユーザリストを参照して、前記更新対象となるユーザに設定されているパターン番号が他のユーザに設定されていないか検索し、他のユーザに設定されていない場合は、該パターン番号に対応する前記通行パターンを更新後の前記通行パターンとするように前記通行パターンを修正し、他のユーザに設定されている場合は、新規にパターン番号を生成した後、更新後の前記通行パターンを前記通行パターンリストに追加した後、前記更新対象となるユーザに設定されているパターン番号を新規に生成したパターン番号とするように前記ユーザリストを修正する処理を行う通行パターン更新手段を備えている。
【００１０】
更に、第２の発明は、第１の発明に記載したゲート管理装置において、新規に作成した通行パターンと同一の通行パターンが既にゲート管理装置に登録されることがないように、前記通行パターン更新手段は、前記更新対象となるユーザに割り当てられたパターン番号が他のユーザに設定されていないか検索する前に、前記通行パターンリストを参照し、更新後の前記通行パターンと一致する通行パターンがすでに前記通行パターンリストに登録されているか検索し、前記通行パターンリストに登録されている場合は、前記更新対象となるユーザに設定されているパターン番号を更新後の前記通行パターンと一致する通行パターンのパターン番号とするように前記ユーザリストを修正することを特徴とする。
【００１１】
更に、第３の発明は、第１の発明または第２の発明に記載したゲート管理装置において、ユーザに対して通行が許可されているゲート装置が一目で分からず通行パターンの設定ミスが発生するのを防止するために、前記通行パターン更新手段は、施設に設置されている全ての前記ゲート装置の設置場所と通行許可／通行不許可が前記ゲート装置毎に示される施設の間取りを示した通行パターン表示画面を表示し、通行許可／通行不許可を更新する前記ゲート装置をオペレータに選択させることで、更新後の前記通行パターンをオペレータに設定させることを特徴とする。
【発明の効果】
【００１２】
このように、上述した本発明によれば、ゲート管理装置は、更新後の前記通行パターンをオペレータが設定すると、前記ユーザリストを参照して、前記更新対象となるユーザに設定されているパターン番号が他のユーザに設定されていないか検索し、他のユーザに設定されていない場合は、該パターン番号に対応する前記通行パターンを更新後の前記通行パターンとするように前記通行パターンを修正し、他のユーザに設定されている場合は、新規にパターン番号を生成した後、更新後の前記通行パターンを前記通行パターンリストに追加した後、前記更新対象となるユーザに設定されているパターン番号を新規に生成したパターン番号とするように前記ユーザリストを修正する処理を行うため、通行許可するゲート装置が記された通行パターンと、ユーザ毎に通行パターンのパターン番号が登録された後に、ユーザに設定されている通行パターンを変更する作業を効率良く行うことができるようになる。
【図面の簡単な説明】
【００１３】
【図１】ゲート管理装置が配置されたゲートシステムを説明する図。
【図２】ゲート管理装置に備えられた機能を説明する図。
【図３】ゲート管理装置に登録される通行パターンリストを説明する図。
【図４】ゲート管理装置に登録されるユーザリストを説明する図。
【図５】ゲート管理装置の通行パターン更新手段の動作を説明する図。
【図６】更新前の通行パターン表示画面を説明する図。
【図７】更新後の通行パターン表示画面を説明する図。
【発明を実施するための形態】
【００１４】
ここから、本発明にかかるゲート管理装置の好適な実施形態について、図面を参照しながら詳細に説明する。なお、これから説明する実施形態は本発明の一実施形態にしか過ぎず、本発明は、これから説明する実施形態に限定されることなく、種々の変形や変更が可能である。
【００１５】
図１は、本実施形態に係るゲート管理装置２が配置されたゲートシステム１を説明する図で、図１で図示したゲートシステム１は、本実施形態に係るゲート管理装置２と、企業などのセキュリティ管理される施設５内のエリアの出入口に設置される複数のゲート装置３（ここでは、２０個）とから少なくとも構成され、ゲート管理装置２とゲート装置３はネットワーク４を介して接続されている。
【００１６】
施設５内のエリアの出入口に設置される複数のゲート装置３には、それぞれのゲート装置３を識別するためのゲート番号が付与され、ゲート管理装置２は、このゲート番号によってそれぞれのゲート装置３を管理する。なお、図１では、ゲート番号はゲート装置３の符号（ここでは、「３」）の後に括弧でくくって表記している。
【００１７】
図２は、本実施形態に係るゲート管理装置２に備えられた機能を説明する図である。ゲート管理装置２は、マウス、ディスプレイ、キーボードなどが接続された汎用のパーソナルコンピュータやサーバを利用して実現される装置で、ゲート管理装置２には、通行許可されるゲート装置３のゲート番号が記された通行パターンをパターン番号に関連付けて記述した通行パターンリスト２１と、ユーザに設定された通行パターンのパターン番号をユーザ毎に記述したユーザリスト２２が予め登録される。
【００１８】
図３は、ゲート管理装置２に登録される通行パターンリスト２１を説明する図である。図３において、通行パターンリスト２１には通行パターンを記憶するレコードが設けられ、このレコードには、通行パターンを識別するためのパターン番号に関連付けて通行パターンが記憶され、この通行パターンには、施設５のエリアの出入口に設置されるゲート装置３のゲート番号に対応するように通行許可または通行不許可のいずれかを示す通行許可フラグが記述されている。
【００１９】
図３において、通行許可フラグが「１」であることは通行許可を示し、通行許可フラグが「０」であることは通行不許可を示しており、例えば、パターン番号が「１」の通行パターンにおいて、通行が許可されるゲート装置３のゲート番号は少なくとも「１」、「２」、「３」、「４」及び「２０」になる。また、パターン番号が「５０」の通行パターンにおいて、通行が許可されるゲート装置３のゲート番号は少なくとも「１」、「３」、「４」及び「２０」になる。
【００２０】
図４は、ゲート管理装置２に登録されるユーザリスト２２を説明する図である。図４において、ユーザリスト２２にはゲートシステム１を利用するユーザ毎にレコードが設けられ、このレコードには、ユーザを識別するためのユーザＩＤに関連付けて、ユーザに設定された通行パターンのパターン番号が記憶され、図４では、更に、ユーザの氏名とユーザの所属がユーザＩＤに関連付けられている。
【００２１】
図４では、ユーザＩＤが「ＩＤ００００１」のユーザに設定された通行パターンのパターン番号は「１」で、図３で図示した通行パターンリスト２１に従えば、該ユーザに対して通行が許可されるゲート装置３のゲート番号は少なくとも「１」、「２」、「３」、「４」及び「２０」になる。また、ユーザＩＤが「ＩＤ００００２」のユーザに設定された通行パターンのパターン番号は「５０」で、図３で図示した通行パターンリスト２１に従えば、該ユーザに対して通行が許可されるゲート装置３のゲート番号は少なくとも「１」、「３」、「４」及び「２０」になる。
【００２２】
図２の説明に戻る。ゲート管理装置２には、ゲート管理装置２のＣＰＵを動作させるコンピュータプログラムにより実現される手段として、ユーザに設定された通行パターンを更新するときに作動する通行パターン更新手段２０を備える。
【００２３】
図５は、ゲート管理装置２の通行パターン更新手段２０の動作を説明する図である。ユーザに設定された通行パターンを更新する操作がなされると、通行パターン更新手段２０は、図４で図示しているようなユーザリスト２２の内容をディスプレイに表示し（Ｓ１）、通行パターンの更新対象となるユーザ（これ以降、「更新対象となるユーザ」と記す）のユーザＩＤをゲート管理装置２のオペレータに選択させる。
【００２４】
マウスなどを用いて、ゲート管理装置２のオペレータが更新対象となるユーザのユーザＩＤを選択し、通行パターン更新手段２０がユーザＩＤを取得すると（Ｓ２）、通行パターン更新手段２０は、ユーザリスト２２を参照し、選択されたユーザＩＤに関連付けられているパターン番号を取得した後（Ｓ３）、該パターン番号に関連付けられている通行パターンを通行パターンリスト２１から取得し、施設５に設置されている全てのゲート装置３の設置場所と、取得した通行パターンに従いゲート装置３毎に通行許可／通行不許可を示した施設５の間取りをビジュアル的に表現した通行パターン表示画面をディスプレイに表示し（Ｓ４）、ゲート管理装置２のオペレータに更新後の通行パターンを設定させる。
【００２５】
図６は、更新前の通行パターン表示画面を説明する図である。図６で図示した通行パターン表示画面６には、施設５に設置されている全てのゲート装置３の設置場所が示された施設５の間取りが表示され、図６ではゲート装置３の配置場所を矩形６０で表示し、ゲート番号を（）で括って符号（ここでは、「６０」）の後に表記している。
【００２６】
また、図６において、通行パターンリスト２１から取得した通行パターン（ここでは、ユーザＩＤが「ＩＤ００００２」に設定されている通行パターン）によって通行許可が示されているゲート装置３を示す矩形６０に関しては、該矩形６０を所定の色（ここでは、黒）で塗りつぶして表示し、図６に従えば、ユーザＩＤが「ＩＤ００００２」のユーザが通行許可に設定されているゲート装置３のゲート番号は、「１」、「３」、「４」、「６」、「７」、「８」、「１１」、「１２」、「１７」及び「２０」である。
【００２７】
更に、図６で図示した通行パターン表示画面６には、更新対象となるユーザ（ここでは、ユーザＩＤが「ＩＤ００００２」のユーザ）に係る情報を表示するフォーム６２と、通行パターンを更新する際に選択される更新ボタン６３と、通行パターンの更新をキャンセルする際に選択されるキャンセルボタン６４が表示されている。
【００２８】
図６において、ゲート装置３を示す矩形６０を選択（クリック）することで、ゲート装置３の通行許可／通行不許可を切り替えることができ、ゲート管理装置２のオペレータは、任意の矩形６０を選択することで、更新後の通行パターンを設定する。なお、通行許可から通行不許可に切り替わると、選択された矩形６０が白で塗りつぶされて表示され、通行不許可から通行許可に切り替わると、選択された矩形６０が黒で塗りつぶされて表示される。
【００２９】
図７は、更新後の通行パターン表示画面６ａを説明する図で、図７は、図６で図示した通行パターン表示画面６において、ゲート番号が「２」のゲート装置３に対応する矩形６０（２）が選択されて、該ゲート装置３が通行不許可から通行許可に切り替わったときの画面で、図６では白で塗りつぶされていた該矩形６０（２）は、図７において黒に塗りつぶされ、更新後の通行パターンにおいて、ユーザＩＤが「ＩＤ００００２」のユーザが通行許可に設定されているゲート装置３のゲート番号は、「１」、「２」、「３」、「４」、「６」、「７」、「８」、「１１」、「１２」、「１７」及び「２０」になる。
【００３０】
図５の説明に戻る。通行許可／通行不許可を変更するゲート装置３に対応する矩形が選択されて、ゲート管理装置２のオペレータが更新後の通行パターンを設定した後に更新ボタンが選択されると、通行パターン更新手段２０は、この時点において通行許可に設定されているゲート装置３のゲート番号更新後の通行パターンとして取得する。
【００３１】
例えば、図７によれば、ユーザＩＤが「ＩＤ００００２」のユーザに割り当てられる更新後の通行パターンは、通行許可に設定されているゲート装置３のゲート番号が、「１」、「２」、「３」、「４」、「６」、「７」、「８」、「１１」、「１２」、「１７」及び「２０」に対応する通行許可フラグが「１」になる通行パターンになる。
【００３２】
通行パターン更新手段２０は、更新後の通行パターンを取得すると（Ｓ５）、まず、通行パターンリスト２１を参照して、更新後の通行パターンと一致する他の通行パターンが通行パターンリスト２１に登録されているか検索し（Ｓ６）、更新後の通行パターンと一致する通行パターンがすでに登録されていれば、更新対象となるユーザのユーザＩＤに関連付けられているパターン番号を、更新後の通行パターンと一致する通行パターンのパターン番号になるようにユーザリスト２２を修正して（Ｓ８）、この手順を終了する。
【００３３】
例えば、図７によれば、ユーザＩＤが「ＩＤ００００２」のユーザに設定される更新後の通行パターンは、通行許可に設定されているゲート装置３のゲート番号「１」、「２」、「３」、「４」、「６」、「７」、「８」、「１１」、「１２」、「１７」及び「２０」に対応する通行許可フラグが「１」になる通行パターンになるため、例えば、この通行パターンが図３で図示したパターン番号「１」の通行パターンと一致すれば、ユーザＩＤ「ＩＤ００００２」に関連付けられているパターン番号が「５０」から「１」になるようにユーザリスト２２は修正される。
【００３４】
変更後の通行パターンと一致する通行パターンがすでに登録されていなければ、通行パターン更新手段２０は、ユーザリスト２２を参照し、更新対象となるユーザのユーザＩＤに関連付けられているパターン番号が他のユーザＩＤに関連付けられていないか検索する（Ｓ７）。
【００３５】
更新対象となるユーザのユーザＩＤに関連付けられているパターン番号が他のユーザＩＤに関連付けられていない場合、通行パターン更新手段２０は、更新対象となるユーザのユーザＩＤに関連付けられているパターン番号に対応する通行パターンを更新後の通行パターンとするように通行パターンリスト２１を修正して（Ｓ９）、この手順を終了する。
【００３６】
例えば、図４に従えば、ユーザＩＤ「ＩＤ００００２」に関連付けられているパターン番号は「５０」であるため、図３の通行パターンリスト２１において、パターン番号「５０」に関連付けられている通行パターンが更新後の通行パターンになるように修正される。
【００３７】
更新対象となるユーザのユーザＩＤに関連付けられているパターン番号が他のユーザＩＤに対応付けられている場合、通行パターン更新手段２０は、通行パターンリスト２１を参照し、通行パターンリスト２１で用いられていないパターン番号を、更新後の通行パターンに付与するパターン番号として新規に生成し（Ｓ１０）、更新後の通行パターンを新規に生成したパターン番号に関連付けて通行パターンリスト２１に記憶させた後（Ｓ１１）、更新対象となるユーザのユーザＩＤに関連付けられているパターン番号を新規に生成したパターン番号とするようにユーザリスト２２を更新して（Ｓ１２）、この手順を終了する。
【００３８】
例えば、図３の通行パターンリスト２１において、最も大きいパターン番号は「２００」であるため、新規のパターン番号として「２０１」が生成され、パターン番号「２０１」に関連付けて更新後の通行パターンが通行パターンリスト２１に記憶され、更新対象となるユーザのユーザＩＤ（ここでは、「ＩＤ００００２」）に関連付けられたパターン番号が「５０」から「２０１」になるようにユーザリスト２２が修正される。
【符号の説明】
【００３９】
１    ゲートシステム
２    ゲート管理装置
２０  通行パターン更新手段
２１  通行パターンリスト
２２  ユーザリスト
３    ゲート装置
４    ネットワーク
５    施設
【図１】
2013143006.tif 000003
【図２】
2013143006.tif 000004
【図３】
2013143006.tif 000005
【図４】
2013143006.tif 000006
【図５】
2013143006.tif 000007
【図６】
2013143006.tif 000008
【図７】
2013143006.tif 000009